(57)【要約】【課題】複数の調理器が設置された環境において、調理終了報知の識別が困難であり、調理を終了した装置が分かり難い。【解決手段】庫内灯１３にＬＥＤを使用して、庫内灯１３の長寿命化と駆動の容易性を向上させ、調理終了時に庫内灯１３を点滅させることで、調理が終了した装置を容易に識別できるようにする。【選択図】図１
2011158214.tif 000002
【特許請求の範囲】
【請求項１】
食品を出し入れ可能に構成した加熱室と、前記加熱室内に設けた庫内灯としてのＬＥＤ、前記ＬＥＤを点滅制御する制御部とを有し、前記制御部は、運転状態によって前記ＬＥＤの点灯制御を変えることを特徴とする調理器。
【請求項２】
各種条件や残時間やエラーなどを表示する表示部を有し、制御部は、調理終了時にＬＥＤを点滅させると共に、前記表示部も同時に点滅させることを特徴とする請求項１記載の調理器。
【請求項３】
制御部は、調理終了時に表示部を消灯することを特徴とする請求項１に記載の調理器。
【発明の詳細な説明】
【技術分野】
【０００１】
本発明は、調理器に付属するランプとしてＬＥＤを使用し、調理終了報知の補助手段として、点灯・消灯を制御するものである。
【背景技術】
【０００２】
複数の調理器が設置されているような使用環境において、調理終了の報知音では、どの装置での調理が終了したかを識別することは困難である。また、そのような使用環境においては、騒音も大きく報知音そのものが聞こえ難いこともある。
そこで、調理終了時に庫内灯を点滅させるといった制御により、調理終了を視覚的に認識させる方法が考えられる。
【先行技術文献】
【特許文献】
【０００３】
【特許文献１】特開２００１−２８４０３５号公報
【特許文献２】特開２００５−１４７４６５号公報
【発明の概要】
【発明が解決しようとする課題】
【０００４】
従来技術の構成では、庫内灯に白熱球を使用することが一般的であり、また、点灯・消灯の制御には安価なリレーが用いられることが一般的である。しかしながら、白熱球の点灯寿命は、２０００時間程度と短く、また、白熱球の点滅の制御には、一般的なリレーの耐久回数では不足であることから、使用頻度が高く、長期間使用される業務用の調理器に採用することは困難であった。
【０００５】
本発明は、前記従来の課題を解決するもので、調理終了報知を確実に行うことのできる調理器を提供することを目的とする。
【課題を解決するための手段】
【０００６】
前記従来技術の課題を解決するために、本発明の調理器では、運転動作表示を行うＬＥＤといった半導体発光素子を使用することで、点灯寿命は１０倍以上となることが見込まれ、ＬＥＤを調理終了の報知手段として使用しても実質的に交換を必要としない。また、消費電力も低く、直流電源を使用することから、マイコンから直接電源を供給することが可能となり、リレーを使用しない構成とすることができる。
【発明の効果】
【０００７】
前記発明の構成により、例えば調理終了時のような運転状態の変化に応じて、庫内灯であるＬＥＤの点灯制御を変え、ＬＥＤを点滅させることで、たとえ複数の調理器が設置されている環境においても、調理を終了した装置を瞬時に識別することが可能となり、長期間の使用においても庫内灯の交換といったメンテナンスを必要とすることなく、前記機能を維持することができる。
【０００８】
また、請求項２の発明においては、調理終了時に庫内灯を点滅させると同時に表示管（ＬＣＤ）のバックライトを点滅させることで、より高い識別特性を得ることができる。
【０００９】
また、請求項３の発明においては、調理終了時に庫内灯を点滅させると同時に表示管（ＬＣＤ）を消灯することで、より高い省エネ性能を得ることができる。
【図面の簡単な説明】
【００１０】
【図１】本発明の調理器の特徴的な部分の構成を示す斜視図
【図２】本発明の調理器のブロック図
【図３】最も単純な調理を示すフローチャート
【図４】ＬＥＤを実装した基板の概略図
【発明を実施するための形態】
【００１１】
第１の発明は、ＬＥＤのような半導体発光素子を庫内灯として備えた調理器において、調理終了時のような運転状態によってＬＥＤの点灯制御を変える装置の状態によって庫内灯の点灯制御を変え、ＬＥＤを点滅させることで、たとえ複数の調理器が設置されている環境においても、調理を終了した装置を瞬時に識別することが可能となり、長期間の使用においても庫内灯の交換といったメンテナンスを必要とすることなく、前記機能を維持することができる。
【００１２】
第２の発明は、特に、第１の発明の庫内灯の点灯制御は、調理終了時に庫内灯を点滅させると同時に表示管（ＬＣＤ）のバックライトを点滅させることで、より高い識別特性を得ることができる。
【００１３】
第３の発明は、特に、第１の発明の庫内灯の点灯制御は、調理終了時に庫内灯を点滅させると同時に表示管（ＬＣＤ）を消灯することで、より高い省エネ性能を得ることができる。
【００１４】
以下、本発明の実施の形態について、図面を参照しながら説明する。なお、この実施の形態によって本発明が限定されるものではない。
【００１５】
（実施の形態１）
図１は、本発明の調理器の特徴的な部分の構成を示す斜視図である。
【００１６】
同図において、代表的な調理器としての電子レンジ１は、マグネトロン等の高周波発生装置（図示せず）を設け、この高周波発生装置で発生したマイクロ波を加熱室１０へ導き、加熱室１０内に載置された被加熱物（食品）を誘電加熱し調理する。加熱室１の前面には、開口部が形成され、この開口部にはドアー１１が開閉可能に設けられ、被加熱物の取入れ，取出し口として利用される。加熱室１０内の左側壁面には、庫内灯窓１２が形成されている。庫内灯窓１２は、複数の細かいパンチ孔を形成した透光性の開口部であり、加熱室１０の壁面に設けられている。
【００１７】
また、調理器１の正面上部には、操作部１４と、この操作部１４で設定された各種条件や残時間やエラーなどを表示する表示部１５が、配置されている。操作部１４から入力された設定条件は、制御基板１００（制御部）へ信号出力される。加熱室１０と外装１６との間の空間には、庫内灯窓１２付近に庫内灯１３（ＬＥＤ、発光ダイオード）が保持される。
【００１８】
この庫内灯１３は、調理が開始すると、制御基板１００からの信号により、調理器１が調理運転中に点灯し、庫内に載置された被加熱物の調理状況を調理器１の外部から視認できるようにすると共に、調理器１が運転中であることを確認できるようにしている。
【００１９】
図４に示すように、庫内灯１３は、ＬＥＤ基板２００に、ＬＥＤ素子２０１（半導体発行素子）を複数個実装した形態をとる。ＬＥＤ素子２０１は、１個のみの実装でも構わない。また、ＬＥＤの光源としての指向性が高いため、加熱室１０に対して、庫内灯窓１２のパンチ孔の影の映りこみが大きくなる。このため、図示しない拡散板を庫内灯窓に設置
してもよい。拡散板は、表示部１５のＬＣＤ（液晶表示ディスプレー）のバックライト部に使用されるものと同じもの、もしくは、より透過率の高いものを使用してもよい。
【００２０】
図２は、本発明の調理器のブロック図である。制御基板１００には、マイコン１０１が実装され、マイコン１０１は、全機能を制御する。また、制御基板１００には、リレーやトライアックといった高周波駆動手段１１１やモータ駆動手段１１２が実装される。ここで、制御基板１００は、２枚以上の基板で構成される場合もある。
【００２１】
マイコン１０１は、操作部１０３から入力された情報を元に、高周波駆動手段１１１やモータ駆動手段１１２を制御してマグネトロン１２１やモータ１２２を駆動させる。また、同時にマイコン１０１は、庫内灯１３や表示部１５に対して、直接電源を供給して駆動制御を行う。さらに、センサー１０２からの情報を元に最適な調理を行うために、高周波駆動手段１１１の強弱や駆動時間を制御したり、危険を検知して、高周波駆動手段１１１を停止させたりする。
【００２２】
図３は、最も単純な調理を示すフローチャートである。操作部１４より調理開始が入力されると、高周波駆動手段１１１およびモータ駆動手段１１２の制御を開始し、マグネトロン１２１およびモータ１２２への電源供給をＯＮにする。また、庫内灯１３へ電源供給し、表示部１５には、残時間等の調理中の情報を表示する。（Ｓ３０１）
設定された調理時間が０になると（Ｓ３０２）、高周波駆動手段１１１を停止させ、モータ駆動手段１１２は、所定の条件（冷却時間や機械室や庫内の温度等）となるまで駆動を継続する。また、図示しないブザーや表示部１５により調理完了を報知し、庫内灯１３は、所定の間隔で点灯・消灯を繰返す。（Ｓ３０３）
このとき、表示部１５のバックライトも同時に点滅させてもよい。これにより、調理終了報知の識別特性がより高くなる。
【００２３】
一方で、表示部１５の表示およびバックライトを消灯（ＯＦＦ）させてもよい。これにより、無駄な電力を消費せず、より高い省エネ性能を得ることができる。
【００２４】
ドアーが開けられると（Ｓ３０４）、ユーザーが調理終了を識別したものとして、庫内灯１３の点滅を停止し、表示部１５には、所期画面が表示される。（０を表示する場合や前回の調理設定が表示される場合がある）ここで、所定時間点滅を継続した後、点滅を停止してもよい。（Ｓ３０５）
【産業上の利用可能性】
【００２５】
以上のように、本発明にかかる調理器は、長寿命、且つ、駆動が容易であるＬＥＤを庫内灯と使用して、庫内灯による識別の容易な調理終了報知を実現できることから、複数の装置が設置されるコンビニエンスストアや大型ファミリーレストランの厨房で利用される業務用の各種加熱調理器に適用できる。
【符号の説明】
【００２６】
１  電子レンジ（調理器）
１０  加熱室
１１  ドアー
１２  庫内灯窓
１３  庫内灯（ＬＥＤ）
１４  操作部
１５  表示部
１６  外装
１００  制御基板（制御部）
２００  ＬＥＤ基板
２０１  ＬＥＤ素子
【図２】
2011158214.tif 000003
【図３】
2011158214.tif 000004
【図４】
2011158214.tif 000005
【図１】
2011158214.tif 000006